(57)【要約】【課題】  電磁波シールド性と透視性のある、電磁波シールド室用の電磁波シールド板と積層電磁波シールド板を提供することにある。【解決手段】  電磁波シールド室用の電磁波シールド板であり、電磁波シールド性と透視性のあるフィルム状のシールド材を透視性のある基板の片面又は両面に貼り付けた。電磁波シールド性のあるシールド材を透視性のある基板の前面又は一部の面にコーティング又は蒸着した。電磁波シールド性と透視性のあるシールド材を二枚の基板の間に挟着した。電磁波シールド室用の積層電磁波シールド板であり、前記電磁波シールド板を二枚以上積層した。前記電磁波シールド板を電磁波非シールドの支持板と積層した。【選択図】  図１
2010177575.tif 000002
【特許請求の範囲】
【請求項１】
電磁波シールド性と透視性のあるフィルム状、膜状、箔状、線状のシールド材を、透視性のある基板の全面又は一部の面に形成したことを特徴とする電磁波シールド室用電磁波シールド板。
【請求項２】
請求項１記載の電磁波シールド室用電磁波シールド板において、シールド材が電磁波シールド性と透視性のあるフィルム状であり、そのシールド材が透視性のある基板に貼り付けられたことを特徴とする電磁波シールド室用電磁波シールド板。
【請求項３】
請求項１記載の電磁波シールド室用電磁波シールド板において、シールド材が透視性のある基板にコーティング、蒸着により薄膜状に形成され、それら薄膜状のシールド材が後処理により透視性が付与されたことを特徴とする電磁波シールド室用電磁波シールド板。
【請求項４】
請求項１記載の電磁波シールド室用電磁波シールド板において、シールド材がメッシュ状に透視性のある基板に印刷されて透視性が付与されたことを特徴とする電磁波シールド室用電磁波シールド板。
【請求項５】
請求項１記載の電磁波シールド室用電磁波シールド板において、シールド材が透視性のある基板に圧入して形成されたことを特徴とする電磁波シールド室用電磁波シールド板。
【請求項６】
請求項１乃至請求項５のいずれかに記載の電磁波シールド室用電磁波シールド板において、シールド材が透視性のある二枚の基板間に挟まれたことを特徴とする電磁波シールド室用電磁波シールド板。
【請求項７】
請求項１乃至請求項６のいずれかに記載の電磁波シールド室用電磁波シールド板が二枚以上積層されたことを特徴とする電磁波シールド室用積層電磁波シールド板。
【請求項８】
請求項７記載の電磁波シールド室用積層電磁波シールド板において、電磁波シールド板が支持板と積層され、支持板が電磁波シールド板又は電磁波非シールド板であることを特徴とする電磁波シールド室用積層電磁波シールド板。
【発明の詳細な説明】
【技術分野】
【０００１】
本発明は電磁波シールド室用の電磁波シールド板と積層電磁波シールド板に関し、電磁波シールド室のうち特に現金自動取引装置（現金自動引き出し預け入れ機：現金処理機：通称「ＡＴＭ」）設置用の電磁波シールド室の周壁板、天井板、扉板として使用するのに適するものである。
【背景技術】
【０００２】
昨今、振込め詐欺が頻発しており、年間、数百億もの膨大な額の被害が発生している。
振込め詐欺は、振込め詐欺師がお年寄りを電話で金融機関やコンビニエンスストアなどに設置されているＡＴＭまで誘い出し、ＡＴＭの近くから携帯電話でお年寄りと通話しながらお年寄りにＡＴＭを操作させて振込みを実行させる手口が多い。また、盗撮による被害発生も危惧されている。これは、ＡＴＭの近くに仕掛けた盗撮用カメラでＡＴＭの暗証番号を盗撮し、盗撮した暗証番号を盗撮者に自動的に無線送信し、入手した盗撮者がその暗証番号と偽造カードを使用してＡＴＭから現金を引き出す手口である。
【発明の概要】
【発明が解決しようとする課題】
【０００３】
ＡＴＭは金融機関のロビー、無人店舗、コンビニエンスストアの店内等に設置されており、ＡＴＭを操作する人と振込め詐欺師とが携帯電話で通話することができるため、係員や店員がいる金融機関のロビーやコンビニエンスストアの店内であっても、それら係員や店員に気付かれることなく振込みさせられてしまい、被害が増加の一途をたどっている。本件発明者は先に、携帯電話を使用した振込め詐欺の被害を防止できるＡＴＭ用の電磁波シールド室を開発した。本発明はＡＴＭ設置室をはじめとして、医療機器設置室、ＯＡ機器設置室といった電磁波シールドを必要とする各種電磁波シールド室の周壁板、天井板、扉板として使用するのに適する電磁波シールド板と積層電磁波シールド板を提供することにある。
【課題を解決するための手段】
【０００４】
本発明の電磁波シールド室用電磁波シールド板は、電磁波シールド性及び透視性のあるフィルム状、膜状、箔状、線状のシールド材を、透視性のある基板の全面（表裏両面、上下面、両側面の計６面）又は一部の面（例えば、表裏両面又は表面と裏面のいずれか一面）に形成したものである。
【０００５】
シールド材がフィルム状のものである場合は、透視性のある基板に接着剤で貼り付けたりホットメルトで付着させたりすることができる。金属箔の場合も同様の手法で付着させることができる。シールド材が金属膜の場合は、コーティング、蒸着、印刷等の手段で透視性のある基板に形成することができる。シールド材が金属線の場合は透視性のある基板内に圧入固定することもできる。印刷の場合は、メッシュ状に透視性のある基板に印刷することもできる。
【０００６】
シールド材は透視性のある二枚の基板の間に挟んで固定することも、シールド材を透視性のある二枚の基板の間に挟み更にはそれら透視性のある二枚の基板の外面にも貼り付けることができる。透視性のある二枚の基板の間に挟まれたシールド材はその外周部を透視性のある基板の外側まで引出して、外部アースと連結し易くしておくのが望ましい。
【０００７】
前記いずれの場合も、電磁波シールド板の外周部は電磁波シールド性のあるパッキンやシーリング材で被覆することもできる。
【０００８】
本発明の電磁波シールド室用積層電磁波シールド板は、前記電磁波シールド板を二枚以上積層したものである。この場合、電磁波シールド板を支持板と積層することもでき、支持板を電磁波シールド板又は電磁波非シールド板とすることができる。支持板は電磁波シールド板の外周部よりも外側まで突出させて支持部を形成するのがよい。この場合も電磁波シールド板のシールド材の一部を透視性のある基板より外側に引出して引出し部にし、それを外部アースと接続し易くしておくのがよい。積層電磁波シールド板の外周部も電磁波シールド性のあるパッキンやシーリング材で被覆することができる。
【発明の効果】
【０００９】
本発明の電磁波シールド室用電磁波シールド板は次のような効果がある。
（１）電磁波シールド性と透視性のあるフィルム状、膜状、箔状、線状のシールド材を、透視性のある基板の全面又は一部の面に形成したので、用途に合った形状、寸法の電磁波シールド板を手軽に製作することができる。
（２）シールド材が電磁波シールド性と透視性のあるフィルム状であり、そのシールド材が透視性のある基板に貼り付けたものであるため、用途に合った形状、寸法の電磁波シールド板を手軽に製作することができる。
（３）シールド材が透視性のある基板にコーティング、蒸着により薄膜状に形成され、それら薄膜状のシールド材が後処理により透視性を付与したり、シールド材をメッシュ状に印刷して透視性を付与したりするので、用途に合った形状、寸法の電磁波シールド板を手軽に製作することができる。
（４）シールド材に透視性があるため、電磁波シールド室の周壁として使用した場合、電磁波シールド室内を外から透視することができ、電磁波シールド室内での携帯電話使用の振込め詐欺を発見し易く、振込め詐欺の予防に役立つ。
（５）シールド材を透視性のある基板に圧入したので、長期間使用してもシールド材が損傷しにくい。
（６）シールド材を透視性のある二枚の基板の間に挟んで貼り付けたので、長期間使用してもシールド材が損傷しにくい。
【００１０】
本発明の電磁波シールド室用積層電磁波シールド板は次のような効果がある。
（１）電磁波シールド板を二枚以上積層したので電磁波シールド性が向上する。
（２）電磁波シールド板を支持板と積層し、支持板の外周部の一部を電磁波シールド板の外周部よりも外側に突出させて支持部を形成したので、積層電磁波シールド板を縦向きにして使用しても、積層電磁波シールド板の荷重が支持板の支持部で受けられて電磁波シールド板に掛からないので、電磁波シールド板のシールド材の一部を基板の外周部よりも外まで引出してアース部としてあってもアース部には荷重が掛からず、アース部が破損しにくくなる。
【図面の簡単な説明】
【００１１】
【図１】本発明の電磁波シールド室用電磁波シールド板の実施形態であり、（ａ）は小孔が開口されたシールド材を基板に貼り付ける前の説明図、（ｂ）は小孔が開口されたシールド材を基板の両外面に設けた状態の説明図、（ｃ）は小孔が開口されたシールド材を二枚の基板の間に挟んで設けた状態の説明図、（ｄ）は（ｂ）は小孔が開口されたシールド材を二枚の基板の間に挟んで設け、更に二枚の基板の両外面にも設けた状態の説明図、（ｅ）は小孔が開口されたシールド材を基板の全周（６面）に設けた状態の説明図。
【図２】本発明の電磁波シールド室用積層電磁波シールド板の周壁下端部の実施形態であり、（ａ）は二枚の電磁波シールド板を積層して電磁波シールド板のシールド材を基板の外周に引き出した状態の正面図、（ｂ）は支持板を入れて積層した積層電磁波シールド板の両外側の電磁波シールド板の底面から側面までパッキンを被せた状態の正面図、（ｃ）は支持板を入れて積層した積層電磁波シールド板の底面から両側外面までにパッキンを被せた状態の正面図。
【図３】本発明の電磁波シールド室用積層電磁波シールド板を使用したＡＴＭ設置電磁波シールド室の概要を示すものであり、（ａ）は斜視図、（ｂ）は平面図。
【図４】本発明の電磁波シールド室用積層電磁波シールド板を使用した電磁波シールド室の床、周壁、天井の組立て説明図。
【図５】本発明の電磁波シールド室用積層電磁波シールド板を周壁に使用した電磁波シールド室の周壁下端部と下枠の連結説明図。
【図６】本発明の電磁波シールド室用積層電磁波シールド板を周壁に使用した電磁波シールド室の周壁上端部と上枠の連結説明図。
【図７】（ａ）、（ｂ）は本発明の電磁波シールド室用積層電磁波シールド板を使用した電磁波シールド室の天井板と天井枠の連結説明図。
【図８】本発明の電磁波シールド室用積層電磁波シールド板を使用した開閉扉と扉枠との取付け構造の一例を示す説明図。
【図９】本発明の電磁波シールド室用積層電磁波シールド板の三層構造の一例を示す説明図。
【図１０】（ａ）〜（ｆ）は電磁波シールド室用積層電磁波シールド板を使用した開閉扉と扉枠の連結構造の異なる例を示す平面図。
【発明を実施するための形態】
【００１２】
（電磁波シールド室用電磁波シールド板の実施形態１）
本発明の電磁波シールド室用電磁波シールド板の一実施例を図１（ａ）〜（ｄ）に基づいて説明する。このうち図１（ａ）に示すものは電磁波シールド性及び透視性のあるフィルム状のシールド材１を、ガラス又は樹脂製の透視性のある基板２の片面に接着剤で貼り付けたりホットメルトで付着したりしたものである。シールド材１としては導電性に優れた金属が適し、一例としては膜状、箔状といったものが適する。シールド材１は透視性を備えたものであり、フィルム全面に小孔１ａを多数形成して透視性を付与してある。小孔１ａはシールド材１を基板２に貼る前に開口してある。基板２には透視性のあるガラス板或いは樹脂板が適する。フィルムの厚さはμｍ単位とすることができる。小孔１ａの形状、大きさ、間隔等は任意に選択可能である。
【００１３】
（電磁波シールド室用電磁波シールド板の実施形態２）
シールド材１はコーティング或いは蒸着により基板２に金属膜を形成し、それを後処理、例えばエッチング処理（フォトエッチングを含む）して小孔１ａを形成したり、メッシュ状にしたりして、透視性を付与することができる。膜状のシールド材１の厚さは実施形態１と同様とすることができる。メッシュの目とか小孔１ａ等の形状、大きさ、間隔等は任意に選択可能である。
【００１４】
（電磁波シールド室用電磁波シールド板の実施形態３）
シールド材１は基板２に印刷して形成することもできる。メッシュの目とか小孔１ａ等の形状、大きさ、間隔等は任意に選択可能である。
【００１５】
（電磁波シールド室用電磁波シールド板の実施形態４）
本発明の電磁波シールド室用電磁波シールド板は図１（ｂ）のように、電磁波シールド性及び透視性のあるシールド材１を透視性のある基板２の表裏両面に設けることもできる。シールド材１の形成方法、小孔１ａの形成方法、基板２は実施形態１〜３と同様にすることができる。
【００１６】
（電磁波シールド室用電磁波シールド板の実施形態５）
本発明の電磁波シールド室用電磁波シールド板は図１（ｃ）のように、電磁波シールド性及び透視性のあるシールド材１を透視性のある二枚の基板２の間に挟んで貼り付けることもできる。この場合はシールド材１の外周の一部を基板２の外側まで引出して引出し部１ｂを形成しておくのがよい。引出し部１ｂを形成することにより二枚の基板２間のシールド材１を外部のアースに確実に接続して確実にシールドすることができる。シールド材１の形成方法、小孔１ａの形成方法、基板２は実施形態１と同様にして行うことができる。シールド材１が設けられた基板２の端面を電磁波シールド性のあるパッキン２５やシーリング材で被覆することによりし電磁波シールド性を高めることもできる。パッキン２５やシーリング材は導電性のあるゴムや樹脂製とすることができる。
【００１７】
（電磁波シールド室用電磁波シールド板の実施形態６）
本発明の電磁波シールド室用電磁波シールド板は図１（ｄ）のように、電磁波シールド性及び透視性のあるシールド材１を透視性のある二枚の基板２の間に挟んで貼り付け、二枚の基板２の表裏両面にも電磁波シールド性及び透視性のあるシールド材１を設けたものである。シールド材１の形成方法、小孔１ａの形成方法、基板２は実施形態１と同様にして行うことができる。この場合も二枚の基板２間のシールド材１の外周の一部を基板２の端面より外側まで引出して引出し部１ｂを設けておき、それを基板２の外側のシールド材１の引出し部１ｂと連結し、それらの外側を電磁波シールド性のあるパッキン２５やシーリング材で被覆しておくのがよく、このようにすることにより三枚のシールド材１を外部のアースに接続して電磁波シールド性を向上させることができる。パッキン２５やシーリング材は導電性のあるゴムや樹脂製とすることができる。
【００１８】
（電磁波シールド室用電磁波シールド板の実施形態７）
本発明の電磁波シールド室用電磁波シールド板は図１（ｅ）のように、電磁波シールド性及び透視性のあるシールド材１を透視性のある基板２の全周（表裏両面、上下両面、左右両面の計６面）に設けることもできる。シールド材１の形成方法、小孔１ａの形成方法は実施形態1と同様にして行うことができる。
【００１９】
（電磁波シールド室用積層電磁波シールド板の実施形態１）
本発明の電磁波シールド室用積層電磁波シールド板は、図１（ａ）〜（ｅ）の電磁波シールド板８を図２（ａ）〜（ｃ）のように二枚以上積層して積層電磁波シールド板Ｐとしてある。図２（ａ）は二枚の電磁波シールド板８を、シールド材１を内側にして背中合わせに積層したものであり、シールド材１の外周部を基板２の外周よりも外側まで引出して引出し部１ｂとしてある。
【００２０】
図２（ｂ）に示す積層電磁波シールド板Ｐは三層構造であり、中間の支持板２６に電磁波非シールド板を使用し、その両外側の二枚を電磁波シールド板８としてある。支持板２６は透視性のあるガラス板或いは樹脂板が適する。三層構造は中間層を電磁波シールド板とし、その両外側に電磁波非シールド板を使用して支持板とすることもできる。積層数は四枚以上とすることもできる。その場合、全てを電磁波シールド板８とすることができるが、少なくなくとも一枚には電磁波非シールド板を使用して支持板とするのが望ましい。前記いずれの場合も、電磁波シールド板８のシールド材１の外周部の少なくとも一部を基板２外周縁よりも外側まで引出して引出し部１ｂを設けて、その引き出し部１ｂを外部のアースに接続できるようにしておくのが望ましい。また、前記いずれの場合も、支持板２６の四辺の外周部の少なくとも１辺の外周部を電磁波シールド板８の外周部よりも外側まで突出させて支持部２６ａを設けるが望ましい。積層電磁波シールド板Ｐを図２（ａ）のように縦向きにして使用した場合、前記シールド材１の引出し部１ｂが電磁波シールド板８の荷重で破損することがあるが、図２（ｂ）のように支持部２６を設けることにより、シールド材１の引出し部１ｂが直接地面や床と接触せず荷重による切断が防止される。
【００２１】
図２（ｂ）、（ｃ）のように積層電磁波シールド板Ｐの外周部を電磁波シールド性のあるパッキン２７、２８で被覆してシールド材１の引出し部１ｂを保護すると共にパッキン２７、２８と引出し部１ｂとの導通性を確保して電磁波シールド板８のシールド性を確実にすることができる。電磁波シールド性のあるパッキン２７、２８は例えば導電性のあるゴムや樹脂製とすることができる。
【００２２】
本発明の電磁波シールド室用電磁波シールド板８（図１（ａ）〜（ｅ））又は積層電磁波シールド板Ｐ（図２（ａ）〜（ｃ））は電磁波シールド室の周壁、天井板、扉板として使用することができる。周壁、天井板、扉板に本発明の電磁波シールド室用積層電磁波シールド板Ｐを使用した電磁波シールド室の一例を図３（ａ）、（ｂ）に示す。この電磁波シールド室はＡＴＭ設置スペースとＡＴＭ操作スペースを備えた電磁波シールド室Ａを細長にし、その中にＡＴＭ５０を一台設置した例である。電磁波シールド室はＡＴＭを複数台設置できる広さとすることもできる。
【００２３】
電磁波シールド室Ａは図４に示す床材３と、その上に図３（ａ）のように組み立てた周壁４と、周壁４の上の天井５で囲われており、周壁４に出入り口６（図３（ｂ））を設け、出入り口６に開閉扉７を取付けてある。開閉扉７はドアでもよく引き戸であってもよい。電磁波シールド室Ａは金融機関、コンビニエンスストア等の店舗内、駅や空港のビル内、公共施設の建物内、屋外といった必要箇所に設置することができる。
【００２４】
電磁波シールド室Ａは室内を電磁波シールドするため、床材３に電磁波シールド性のある板材やマット（通称：シールドマット）を使用し、周壁４と天井５に本発明の電磁波シールド室用電磁波シールド板８や積層電磁波シールド板Ｐを使用し、床材３と周壁４の連結箇所、周壁４と天井５との連結箇所、出入り口６への開閉扉７の取付け箇所も電磁波シールド構造にしてある。床材３は板材やマットではなく電磁波シールド構造に施工された地面や建物のフロアなどであってもよい。前記電磁波シールド室Ａは図３（ａ）のように床材３、周壁４、天井５を組立て、開閉扉７を取付けることにより完成することができる。
【００２５】
図４の床材３は地面に固定される。この場合、床材３の上に床取付けランナー１０を設置し、固定ネジ（ボルト）１１を床取付けランナー１０から床材３を貫通して床にねじ込むことにより床材３を金融機関やコンビニエンスストアの床や屋外の路面に固定できるようにしてある。床材３は設置した地面や他の場所に電気的にアースして電磁波シールド効果を確実にすることができる。電磁波シールド室Ａの床面は地面や室内の床等に導電性メッシュや他の導電材を敷設したり埋設したりして電磁波シールド構造にしたものであってもよい。
【００２６】
周壁４の積層電磁波シールド板Ｐは、図４に示す周枠１２の内側に配置固定される。周枠１２は二本の支柱１３の間の下部に下枠１４が、上部に上枠１５が取付けられ、両支柱１３の内側と下枠１４、上枠１５の内側に受縁１６が取付けられ、周枠１２の内側に積層電磁波シールド板Ｐが配置されて受縁１６に宛がわれ、周枠１２の内側から積層電磁波シールド板Ｐの外側に押縁１７が押し当てられて積層電磁波シールドＰが受縁１６と押縁１７の間に挟まれ、押縁１７が支柱１３に固定されることにより積層電磁波シールド板Ｐが周枠１２の内側に固定される。上枠１５は天井取付けランナー１８により両支柱１３の上部に固定される。積層電磁波シールド板Ｐが固定された周枠１２は床取付けランナー１０に嵌合されて床材３に固定される。図４では積層電磁波シールド板Ｐの四周外周縁に電磁波シールド性のあるテープ、例えば、金属テープ９が貼り付けられている。周壁４の前面、両側面、背面は積層電磁波シールド板Ｐを前記のように組立てることにより形成されている。天井５（図３（ａ））に使用される積層電磁波シールド板Ｐは前記周壁４の上に配置固定される。天井５と周壁４も電磁波シールド構造にして連結固定されている。
【００２７】
図４に示す側壁用の積層電磁波シールド板Ｐの下端部と下枠１４との連結構造は種々あるが、その一例として図５に示すものは積層電磁波シールド板Ｐの下端面に導電性パッキン３０を被せ、導電性パッキン３０と下枠１４との間の空間に電磁波シールド性のあるシーリング材３１を充填して、積層電磁波シールド板Ｐと周枠１２の間を電磁波シールドすることもできる。前記導電性パッキン３０の代わりに導電性テープを貼り付けることもできる。
【００２８】
図４に示す側壁用の積層電磁波シールド板Ｐの上端部と上枠１５との連結構造も種々あるが、その一例として図６に示すものは積層電磁波シールド板Ｐの上端面に導電性パッキン３０を被せ、導電性パッキン３０と上枠１５との間の空間に電磁波シールド性のあるシーリング材３１を充填して、積層電磁波シールド板Ｐと周枠１２の間を電磁波シールドすることもできる。前記導電性パッキン３０の代わりに導電性テープを貼り付けることもできる。
【００２９】
図３（ａ）の天井板としての積層電磁波シールド板Ｐと天井枠３３との連結構造も種々あるが、その一例として図７（ａ）に示すものは、積層電磁波シールド板Ｐの連結端面に導電性パッキン３４を被せ突合せ、その突合せ部分を両外側から金属製の横枠３３で挟んだ構造である。図７（ｂ）に示すものは積層電磁波シールド板Ｐの連結端面に導電性パッキン３４を被せ、その連結端部を金属製のＩ字状の天井枠３３の溝に嵌合した構造である。
【００３０】
出入り口６（図３（ｂ））への開閉扉７の取付けも電磁波シールド構造にしてある。開閉扉７の一例として図８に示すものは、本発明の積層電磁波シールド板Ｐを使用し、それを開閉機構２０により出入り口６の扉枠２１に回転可能に取付けてある。この場合、開閉扉７の内側の電磁波シールド板８の端部に電磁波シールド性のあるパッキン２２を被せ、そのパッキン２２を開閉扉７と扉枠２１の間に介在させ、更に、扉枠２１に電磁波シールド性のあるパッキン２３を配置固定して、開閉扉７と扉枠２１との連結部をも電磁波シールド構造にしてある。図８では三枚の電磁波シールド板８のうち、最外層の電磁波シールドガラス板８の端部を突出させ、最内層の電磁波シールド板８の端部を中間層の電磁波シールド板８よりも突出させて、最内層の電磁波シールド板８の端部８ｂにパッキンを被せるようことができるようにしてある。図８のパッキン２２、２３は開閉扉７の縦方向全長に取付けられている。図８に示す開閉扉７の端部と反対側の端部と、図８に示す扉枠２１と反対側の扉枠との双方又はいずれか一方にも電磁波シールド性のあるパッキンを取付けて両者間も電磁波シールド構造にしてある。図８のパッキン２２は開閉扉７の縦方向全長に、パッキン２３は扉枠２１の縦方向全長に取付けてある。
【００３１】
出入り口６（図３（ｂ））は車椅子が出入りできる広さにすることができる。この場合、開閉扉７の底面と出入り口６の床材３の間も電磁波シ−ルドする必要があり、そのために例えば開閉扉７の底面と出入り口６の床材３との双方又はいずれか一方に電磁波シールド性のあるパッキンを取付けて開閉扉７を閉めたときに出入り口６の床面と開閉扉７との間も電磁波シ−ルドされるようにすることができる。
【００３２】
本発明の電磁波シールド室用積層電磁波シールド板のシールド周波数帯域（遮蔽周波数帯域）は広い方が望ましいが、少なくとも携帯電話の使用周波数帯域をシールド（遮蔽）できるもの、例えば周波数選択電磁波シールドガラスを使用することもできる。これはガラスや内装材などの表面にアンテナを均等配列して電波反射面を形成して、アンテナ長に応じた周波数帯域の電波が反射されて遮蔽されるようにしたものである。
【００３３】
本発明の電磁波シールド室用積層電磁波シールド板を使用したＡＴＭ設置室は電磁波シールド室での悪質行為や携帯電話の使用状況等を外部から視認できるようにするのが好ましいため、積層電磁波シールド板には透視性のあるものを使用する。積層電磁波シールド板には遮熱性、断熱性、耐火性等に優れたものを使用して積層電磁波シールド板で囲われた室内に断冷房機能を持たせたり、耐火機能を持たせたりすることもできる。
【００３４】
（電磁波シールド室用積層電磁波シールド板の実施形態２）
本発明の電磁波シールド室用積層電磁波シールド板の連結構造も種々あるが、一例として図９に示すものは三層（三枚）構造の積層電磁波シールド板Ｐの連結構造であり、一方（図９の左側）の積層電磁波シールド板Ｐは中間の電磁波シールド板８の連結端部を両外側の電磁波シールド板８の連結端部よりも凹ませ、他方（図９の右側）の積層電磁波シールド板Ｐは中間の電磁波シールド板８の連結端部を両外側の電磁波シールド板８の連結端部よりも凸にして、前記凹部と凸部を嵌合して連結できるようにしてある。この場合は、図９の左側の積層電磁波シールド板Ｐの両外側の電磁波シールド板８の凸部にシールド性のあるパッキン３４を被せ、図９の右側の積層電磁波シールド板Ｐの中間の電磁波シールド板８の凸部にシールド性のあるパッキン３４を被せて、前記凹部に凸部を差し込んで電磁波シールド構造にして連結してある。
【００３５】
（電磁波シールド室用積層電磁波シールド板の実施形態３）
図１０（ａ）〜（ｆ）は扉枠２１と開閉扉７との連結に使用されるパッキンの各種形状（構造）を示すものである。図１０（ａ）〜（ｆ）のいずれの場合も、扉枠２１は金属製であり内側に二段の凹部４０、４１がある。開閉扉７は電磁波シールド板８を三層（三枚）構造にした積層電磁波シールド板Ｐであり、最外層の電磁波シールド板８の突出端部を開閉機構２０により扉枠２１に連結してある。また、中間の電磁波シールド板８の端部をその両外側の電磁波シールド板８の端部よりも凹ませて、両外側の電磁波シールド板８の間に嵌合空間を設け、この嵌合空間にパッキン４３を挟んである。
【００３６】
前記パッキン４３は金属粉混入或いは金属繊維埋設の樹脂製或いはゴム製として導電性（電磁波シールド性）をもたせてある。図１０（ａ）〜（ｆ）のパッキン４３は前記嵌合空間に嵌合可能な嵌合部４３ａと内側の電磁波シールド板８と扉枠２１との間に配置されるクッション部４３ｂとが一体成型されている。図１０（ａ）〜（ｆ）のパッキン４３の嵌合部４３ａの形状はいずれも同じであるが、クッション部４３ｂの形状は全て異なる。図１０（ａ）のクッション部４３ｂは横長空間部４４が、図１０（ｂ）のクッション部４３ｂは三個の空間部４５が、図１０（ｃ）のクッション部４３ｂは二個の空間部４６が形成されて弾性が具備されている。図１０（ｃ）の二個のクッション部は扉枠２１の仕切り突起４２で区画されている。図１０（ｄ）〜（ｆ）のクッション部４３ｂはいずれも空間部がないが、輪郭形状は図１０（ｄ）が図１０（ａ）と、図１０（ｅ）が図１０（ｂ）と、図１０（ｆ）が図１０（ｃ）と夫々同じである。これらパッキン４３はいずれも開閉扉７及び扉枠２１の上下方向に縦長である。パッキンの形状、構造は図１０（ａ）〜（ｆ）に示すもの以外であってもよい。
【００３７】
電磁波シールド室Ａの形状、広さ等はＡＴＭの設置台数に合わせて選択することができ、出入り口の開口方向は設置するロビー、店舗等の配置に合わせて選択する。出入り口は車椅子が出入りできる広さにし、その部分の床はバリアフリー式が望ましい。
【産業上の利用可能性】
【００３８】
本発明の電磁波シールド室用電磁波シールド板及び積層電磁波シールド板は、電磁波障害を回避したい場所、例えば、オフィス、病院などの個室として利用することもできる。その場合は、電磁波シールド室内にＡＴＭの代わりに必要なオフィス機器や医療機器等を設置する。電磁波シールド室の床材、周壁、天井、開閉扉には電磁波シールド室内の機器に障害となる周波数帯の電磁波をシールドできる電磁波シールド板を使用する。電磁波シールド板は透視しにくいもの或いは透視できないものに代えることもできる。
【符号の説明】
【００３９】
１  シールド材
１ａ  小孔
１ｂ  引き出し部
２  基板
３  床材
４  周壁
５  天井
６  出入り口
７  開閉扉
８  電磁波シールド板
８ｂ  電磁波シールド板の端部
９  金属テープ
１０  床取付けランナー
１１  固定ネジ（ボルト）
１２  周枠
１３  支柱
１４  下枠
１５  上枠
１６  受縁
１７  押縁
１８  天井取付けランナー
２０  開閉機構
２１  扉枠
２２、２３  パッキン
２５  パッキン
２６  支持板
２６ａ  支持部
２７  パッキン
２８  パッキン
３０  導電性パッキン
３１  シーリング材
３３  天井枠
３４  導電性パッキン
４０、４１  扉枠の凹部
４２  扉枠の切り突起
４３  パッキン
４３ａ  パッキンの嵌合部
４３ｂ  パッキンのクッション部
４４  横長空間部
４５、４６  空間部
５０  ＡＴＭ
Ａ  電磁波シールド室
Ｐ  積層電磁波シールド板
【図１】
2010177575.tif 000003
【図２】
2010177575.tif 000004
【図３】
2010177575.tif 000005
【図４】
2010177575.tif 000006
【図５】
2010177575.tif 000007
【図６】
2010177575.tif 000008
【図７】
2010177575.tif 000009
【図８】
2010177575.tif 000010
【図９】
2010177575.tif 000011
【図１０】
2010177575.tif 000012